【事件の表示】
　特願２０１０−　４６７５２「デジタルオーディオデータを処理するための装置、方法、および記録媒体」拒絶査定不服審判事件〔平成２２年　７月２２日出願公開、特開２０１０−１６０５１０〕について、次のとおり審決する。
【結　論】
　本件審判の請求は、成り立たない。
【理　由】
１．手続の経緯
　本願は、平成６年９月１９日（パリ条約による優先権主張平成５年９月１７日、大韓民国）に出願した特許出願（特願平６−２４８３７５号）の一部を平成１７年１０月１３日に新たな特許出願（特願２００５−２９９０２９号）とし、その一部を平成２１年２月２５日に新たな特許出願（特願２００９−４２９２７号）とし、さらに、その一部を平成２２年３月３日に新たな特許出願としたものであって、平成２２年６月２４日付けの拒絶理由の通知に対し、平成２２年１０月１３日付けで手続補正がなされたが、平成２２年１１月８日付けで拒絶査定がなされ、これに対し、平成２３年３月１５日に審判請求がなされたものである。
　
２．本願発明
　本願の請求項に係る発明は、平成２２年１０月１３日付け手続補正書により補正された特許請求の範囲の請求項１ないし２５に記載された事項により特定されるものであるところ、その請求項１に係る発明（以下、「本願発明」という）は、次のとおりのものである。
　
「デジタルオーディオデータを処理するための装置であって、
　前記デジタルオーディオデータは、
　第１タイプのデジタルオーディオデータと、
　前記第１タイプのデジタルオーディオデータの内容とは異なる内容を含む第２タイプのデジタルオーディオデータと、
　を含み、
　各々の第１タイプ及び第２タイプのデジタルオーディオデータは、
　各々の第１タイプ及び第２タイプのデジタルオーディオデータのコーディングモードを示す第１属性情報と、
　前記デジタルオーディオデータのタイプを識別する第２属性情報と、
　により特定され、
　当該装置は、
　前記デジタルオーディオデータを処理するように構成されたデータ処理部と、
　前記第２属性情報に応じて前記第１タイプ又は前記第２タイプのデジタルオーディオデータを出力するよう、前記データ処理部を制御するように構成された制御部と、
　を備え、
　前記制御部は、前記デジタルオーディオデータの前記コーディングモードを前記第１属性情報に基づき識別するように更に構成され、
　前記第１タイプ及び前記第２タイプのデジタルオーディオデータは互いに等しいコーディングモードを有し、
　前記データ処理部は、前記第１タイプ及び前記第２タイプのデジタルオーディオデータを前記制御部の制御に従ってデコーディングするように構成されたオーディオデコーダを含む、装置。」
　
３．刊行物の記載事項
　これに対して、原査定の拒絶の理由で引用された本願の優先権主張の日前に頒布された刊行物である特開平５−１２８３１号公報（以下、「刊行物１」という）には、図面とともに、次のア〜ウの事項が記載されている。
ア．「【請求項３】　複数の種類のオーディオ情報がその種類を表わす符号とともに多重記録されている情報記録媒体を再生する情報再生装置において、
  再生すべきオーディオ情報を指定する指定情報を記憶する記憶手段と、
　オーディオ情報の種類を表わす前記符号を読み取る読取手段と、
　前記読取手段の読み取り結果に対応して、複数のオーディオ情報の中から、前記記憶手段に記憶されている指定情報により指定されているオーディオ情報を再生する再生手段とを備えることを特徴とする情報再生装置。」
　
イ．「【発明の詳細な説明】
【０００１】
【産業上の利用分野】本発明は例えばコンパクトディスク、ビデオディスクおよびその再生装置等に用いて好適な情報記録媒体およびその再生装置に関する。
【０００２】
【従来の技術】例えばビデオディスクには映画、音楽、カラオケ等いろいろなカテゴリ（ジャンル）のソフトが用意されている。映画の場合は映画のビデオ信号とそれに付随するオーディオ信号が記録されている。音楽ソフトの場合は音楽のオーディオ信号とそれに付随するイメージ画像のビデオ信号が記録されている。カラオケソフトの場合は左右ステレオの伴奏音、模範のボーカル音、それに付随する歌詞等を含むイメージ画像等が記録されている。使用者は必要に応じてそのソフトの内容によってスイッチ等を操作し、所望の信号を選択することになる。」
　
ウ．「【００１３】
【実施例】図１は本発明の情報再生装置の一実施例の構成を示すブロック図である。ディスク１はドライブ２に装着され記録されている情報が再生されるようになされている。デコーダ３はドライブ２より出力された再生信号をデコードし、再生信号中のＴＯＣ情報をコントローラ１３に供給するとともに、各トラックからの再生データを復号器４に供給する。復号器４は入力された再生データから各トラックのヘッダに記録されているデータを読み取りコントローラ１３に供給するとともに、各トラックに記録されているデータをオーディオデータ、ビデオデータまたはスーパーインポーズデータに分離し、それぞれ復号器５乃至７に供給する。
【００１４】復号器５は入力されたオーディオデータからオーディオヘッダ部（多重化ヘッダ部）に記録されているデータを読み取りコントローラ１３に供給するとともに、それに続く各パケットのデータをチャンネル毎に分離しオーディオデコーダ８ａ乃至８ｃに供給する。
【００１５】同様に復号器６は入力されたビデオデータからビデオヘッダ部（多重化ヘッダ部）に記録されている情報を読み取り、コントローラ１３に供給するとともに、それに続くパケットのデータをチャンネル毎に分離し、ビデオデーコーダ９ａ乃至９ｃに供給する。また、復号器７は入力されるスーパーインポーズデータのスーパーインポーズヘッダ部（多重化ヘッダ部）の情報を読み取ってコントローラ１３に供給するとともに、それに続くパケットのデータをチャンネル毎に分離し、データデコーダ１０ａ乃至１０ｃに供給する。
【００１６】オーディオデコーダ８ａ乃至８ｃは入力されたオーディオパケットのデータからパケットヘッダ部のデータを読み取りコントローラ１３に出力するとともに、それに続くオーディオデータ部のデータをデコードし、合成器１１に出力する。ビデオデコーダ９ａ乃至９ｃは入力されたビデオパケットの先頭に配置されているパケットヘッダ部のデータを読み取り、コントローラ１３に出力するとともにそれに続くビデオデータをデコードし、合成器１２に出力する。データデコーダ１０ａ乃至１０ｃは入力されたスーパーインポーズデータパケットのパケットヘッダ部のデータを読み取り、コントローラ１３に出力するとともにそれに続くスーパーインポーズデータをデコードして合成器１２に出力する。
【００１７】合成器１１はコントローラ１３により制御され、オーディオデコーダ８ａ乃至８ｃの出力を合成し、図示せぬスピーカ等へ出力する。また、合成器１２はコントローラ１３より供給される制御信号に対応して、ビデオデコーダ９ａ乃至９ｃより供給されるビデオデータと、データデコーダ１０ａ乃至１０ｃより供給されるスーパーインポーズデータとを合成し、図示せぬＣＲＴ等に出力する。合成器１１，１２は複数の入力のうちから１つの入力を選択して出力したり、所定の入力と他の入力とを合成したりして出力する。
【００１８】ディスプレイ１５とデジタイザ１４は一体とされ、タッチパネルを構成している。即ち、ディスプレイ１５により例えば所定のスイッチボタン等が表示されると、その表示されたボタンを指等で触ると、その触った座標位置がデジタイザ１４により検出され、その検出信号がコントローラ１３に出力されるようになされている。従って使用者はデジタイザ１４の所定の位置をタッチすることによりコントローラ１３に対して所定の指令を入力することが出来るようになっている。また、不揮発性メモリ１６は所定のデフォルト値を記憶するようになされている。
【００１９】図２はディスク１のフォーマットを模式的に表わしている。ディスク１の始点（最内周トラック）にはＴＯＣ情報が記録されており、それに続くトラックに所定の情報が記録されている。この実施例においては、４つの情報（トラック１乃至トラック４）が記録されている。各トラックはトラックヘッダ部とそれに続くデータ部とより構成され、データ部にはビデオデータ（Ｖ）、オーディオデータ（Ａ）及びスーパーインポーズデータ（Ｓ）がそれぞれ時分割多重されている。そのうち、オーディオデータはその先頭にオーディオヘッダ部が設けられ、それに続いて複数チャンネル（この実施例の場合７チャンネル）のオーディオデータが時分割多重されている。各チャンネルはパケット単位で構成されており、各パケットはパケットヘッダ部とオーディオデータ部とにより構成されている。
【００２０】ビデオデータ及びスーパーインポーズデータについても同様に、ビデオヘッダ部あるいはスーパーインポーズヘッダ部に続いて複数チャンネル（パケット）のデータが時分割多重されて記録されており、各パケットはパケットヘッダ部とビデオデータ部あるいはスーパーインポーズデータ部とにより構成されている。
【００２１】上記したＴＯＣ情報記録部、トラックヘッダ部、多重化ヘッダ部またはパケットヘッダ部には、例えば図３乃至図５に示す符号が記録されている。即ち記録されている情報が映画、カラオケまたは音楽である場合、図３に示すように、それぞれに対応してカテゴリ番号０，１または２等が記録されている。
【００２２】さらに、ソフトカテゴリ番号の下位に識別子が設けられている。例えば、ソフトカテゴリがカラオケである場合、そのオーディオデータに対しては図４に示すような識別子が定められている。この実施例においては、記録されているのがステレオ伴奏である場合、その識別子は０または１とされ、ガイドである場合２とされ、模範例である場合３とされ、解説である場合４とされる。
【００２３】また、ソフトカテゴリが映画である場合におけるオーディオデータに対しては、例えば図５に示すように識別子が割当られる。この実施例においては、記録されているオーディオデータが背景音である場合識別子は０または１とされ、中央音である場合２とされ、背後音である場合３とされ、セリフである場合４とされ、解説である場合５とされている。勿論これらの番号あるいは識別子と対応する内容は、任意に設定することが可能である。
【００２４】次に図６および図７のフローチャートを参照して図１の実施例の動作を説明する。最初にステップＳ１において、各部の初期化動作が行なわれ、次にステップＳ２において、ドライブ２に対してディスク１が装着されたか否か判定される。ドライブ２にディスク１が装着された場合、コントローラ１３はドライブ２にディスク１のＴＯＣ情報を読み取らせる。デコーダ３はこのときドライブ２が出力するＴＯＣをデコードし、それを読み取ってコントローラ１３に出力する（ステップＳ３）。そして、デジタイザ１４を介して再生が指令されたトラック（情報）のソフトカテゴリ番号をＴＯＣ情報から読み取る（ステップＳ４）。そしてステップＳ５、Ｓ６等において、読み取ったソフトカテゴリ番号がカラオケを意味するのか、映画を意味するのか等を判定する。
【００２５】例えばソフトカテゴリ番号がカラオケを表わすものであるとするとき、ステップＳ１１以降の処理が実行される。即ち、コントローラ１３はディスプレイ１５に対するソフトスイッチの表示をカラオケ用に設定させる（ステップＳ１１）。次に多重化されている音声データの識別子を読み取り、その読み取り結果に対応する操作モードを設定する（ステップＳ１３乃至Ｓ１８）。即ち、識別子番号が２である場合ガイドオン、オフスイッチをディスプレイ１５に表示させ（ステップＳ１３，１４）、識別子番号が３であるとき模範例オン、オフスイッチをディスプレイ１５に表示させ（ステップＳ１５，Ｓ１６）、さらに識別子番号が４であるとき解説オン、オフスイッチをディスプレイ１５に表示させる（ステップＳ１７，Ｓ１８）。このようにして例えば図８に示すような表示がディスプレイ１５において行なわれることになる。
【００２６】尚、ステップＳ１３乃至Ｓ１８までの処理におけるこれらのスイッチの設定は、前回設定された状態が不揮発性メモリ１６に記憶されており、その記憶値に対
応する状態とされている。
【００２７】次に図８に示すように表示されたガイドオン、オフスイッチ、模範例オン、オフスイッチ、解説オン、オフスイッチの操作が判定され（ステップＳ１９，２１，２３）、その操作に対応するデータが選択されるように合成器１１が制御される（ステップＳ２０，Ｓ２２，Ｓ２４）。即ち、ガイドオン、オフスイッチがオンされておればガイド音が選択出力され、模範例オン、オフスイッチがオンされていれば、模範例が選択出力され、解説オン、オフスイッチがオンされていれば解説が選択出力されることになる。
【００２８】ガイドオン、オフスイッチ、模範例オン、オフスイッチ、解説オン、オフスイッチのいずれもオフされている場合においては、ステレオ伴奏が選択されることになる。そして、この再生状態がトラック再生の終了が指令されるまで繰り返されることになる（ステップＳ２５）。
【００２９】例えば、トラック３の再生がデジタイザ１４を介してコントローラ１３に指令されたとすると、コントローラ１３はドライブ２を制御し、トラック３のデータを再生させる。この再生データはデコーダ３を介して複合器４さらに複合器５乃至７に供給される。そして、複合器５乃至７に対応する各デコーダ８乃至１０は対応するチャンネルのオーディオデータ、ビデオデータあるいはスーパーインポーズデータをそれぞれデコードする。尚、図１には３チャンネル分のデコーダのみしか示されていないが、このチャンネル数はディスク１に記録されているチャンネル数に対応して設けることができる。
【００３０】このようにして合成器１１にはトラック３のオーディオデータが入力され、合成器１２にはトラック３のビデオデータとスーパーインポーズデータが入力されていることになる。そして、使用者が例えばガイドオン、オフスイッチをオンしたとき合成器１１は入力されるオーディオデータのうち、ガイドオーディオデータを選択し出力することになる。」
　
　以上の記載から、刊行物１には以下の発明（以下、「刊行物１発明」という）が記載されている。
　
　コンパクトディスクに記録されたオーディオデータを再生する再生装置であって、
　前記オーディオデータは、左右ステレオの伴奏音、ガイド、模範のボーカル音、解説を含み、
　前記オーディオデータに対して内容と対応する識別子が定められており、
　当該装置は、
　前記オーディオデータをデコードする複数のオーディオデコーダと、
　前記オーディオデコーダでデコードしたデータを再生する再生手段と、
　前記オーディオデコーダを制御するとともに、前記オーディオデータの中から、前記識別子に対応するオーディオデータを再生するように前記再生手段を制御するコントローラと、
　を備える情報再生装置。
　
４．対比
　本願発明と刊行物１発明とを対比する。
　
　刊行物１発明の「コンパクトディスクに記録されたオーディオデータを再生する再生装置」のオーディオデータは、デジタルオーディオデータであることは明らかであるから、本願発明と刊行物１発明とは、「デジタルオーディオデータを処理するための装置」といえる点で一致する。
　
　刊行物１発明の「左右のステレオ伴奏音、ガイド、模範のボーカル音、解説を含むオーディオデータ」は、それぞれ互いに異なる内容を含むデジタルオーディオデータといえるものであるから、そのうちの２つを「第１タイプのデジタルオーディオデータ」、「第２タイプのデジタルオーディオデータ」に対応付けると、本願発明と刊行物１発明とは、「前記デジタルオーディオデータは、第１タイプのデジタルオーディオデータと、前記第１タイプのデジタルオーディオデータの内容とは異なる内容を含む第２タイプのデジタルオーディオデータと、を含」む点で一致する。
　また、これらのオーディオデータは、デコードして再生するものであるから、デコードに必要なコーディングモードを示す情報が、コンパクトディスクに記録された情報に含まれていることは明らかである。この「デコードに必要なコーディングモードを示す情報」は、本願発明の「各々の第１タイプ及び第２タイプのデジタルオーディオデータのコーディングモードを示す第１属性情報」に相当するものである。さらに、刊行物１発明の「オーディオデータの内容を識別する識別子」は、本願発明の「前記デジタルオーディオデータのタイプを識別する第２属性情報」に相当する。
　したがって、本願発明と刊行物１発明とは、「各々の第１タイプ及び第２タイプのデジタルオーディオデータは、各々の第１タイプ及び第２タイプのデジタルオーディオデータのコーディングモードを示す第１属性情報と、前記デジタルオーディオデータのタイプを識別する第２属性情報と、により特定され」る点で一致する。
　
　刊行物１発明の「前記オーディオデータをデコードする複数のオーディオデコーダと、前記オーディオデコーダでデコードしたデータを再生する再生手段」は、本願発明の「前記デジタルオーディオデータを処理するように構成されたデータ処理部」に相当する。
　また、刊行物１発明の「前記オーディオデータの中から、前記識別子に対応するオーディオデータを再生するように前記再生手段を制御するコントローラ」は、本願発明の「前記第２属性情報に応じて前記第１タイプ又は前記第２タイプのデジタルオーディオデータを出力するよう、前記データ処理部を制御するように構成された制御部」に相当する。
　したがって、本願発明と刊行物１発明とは、「当該装置は、前記デジタルオーディオデータを処理するように構成されたデータ処理部と、前記第２属性情報に応じて前記第１タイプ又は前記第２タイプのデジタルオーディオデータを出力するよう、前記データ処理部を制御するように構成された制御部と、を備え」る点で一致する。
　
　刊行物１発明の「コントローラ」（本願発明の「制御部」に相当）は、オーディオデコーダを制御するものであって、デコードに必要なコーディングモードを示す情報（本願発明の「第１属性情報」に相当）に基づきコーディングモードを識別して、オーディオデコーダのデコーディングの動作を制御するのは明らかである。
　したがって、本願発明と刊行物１発明は、「前記制御部は、前記デジタルオーディオデータの前記コーディングモードを前記第１属性情報に基づき識別するように更に構成され」る点、及び、「前記データ処理部は、前記第１タイプ及び前記第２タイプのデジタルオーディオデータを前記制御部の制御に従ってデコーディングするように構成されたオーディオデコーダを含む」点で一致する。
　
　以上をまとめると、本願発明と刊行物１発明の一致点及び相違点は次のとおりである。
　
［一致点］
　デジタルオーディオデータを処理するための装置であって、
　前記デジタルオーディオデータは、
　第１タイプのデジタルオーディオデータと、
　前記第１タイプのデジタルオーディオデータの内容とは異なる内容を含む第２タイプのデジタルオーディオデータと、
　を含み、
　各々の第１タイプ及び第２タイプのデジタルオーディオデータは、
　各々の第１タイプ及び第２タイプのデジタルオーディオデータのコーディングモードを示す第１属性情報と、
　前記デジタルオーディオデータのタイプを識別する第２属性情報と、
　により特定され、
　当該装置は、
　前記デジタルオーディオデータを処理するように構成されたデータ処理部と、
　前記第２属性情報に応じて前記第１タイプ又は前記第２タイプのデジタルオーディオデータを出力するよう、前記データ処理部を制御するように構成された制御部と、
　を備え、
　前記制御部は、前記デジタルオーディオデータの前記コーディングモードを前記第１属性情報に基づき識別するように更に構成され、
　前記データ処理部は、前記第１タイプ及び前記第２タイプのデジタルオーディオデータを前記制御部の制御に従ってデコーディングするように構成されたオーディオデコーダを含む、装置。
　
［相違点］
　本願発明においては、「前記第１タイプ及び前記第２タイプのデジタルオーディオデータは互いに等しいコーディングモードを有」するのに対し、刊行物１発明では、等しいか否か明らかではない点。
　
５．当審の判断
　上記相違点について検討する。
　
　刊行物１には、複数の内容（複数種類）のオーディオデータそれぞれのコーディングモードについて明示的には記載されていないが、複数種類のオーディオデータを１つの記録媒体に記録する場合に、それぞれのコーディングモードを異ならせる格別の理由がない限り、同じコーディングモードを用いるのが当業者には自然な思考であると考えられる。また、刊行物１には、コーディングモードを異ならせることを示唆する記載は全くない。
　したがって、刊行物１発明において、複数種類のオーディオデータ（本願発明の「前記第１タイプ及び前記第２タイプのデジタルオーディオデータ」に相当）のコーディングモードを互いに等しいものとすることは、当業者が必要に応じて適宜なし得る事項にすぎないものであり、容易に想到し得ることである。
　なお、刊行物１には、複数のデコーダを並列にした構成が記載されているが、これらデコーダのコーディングモードが互いに異なる旨が明示されているわけではないし、同じコーディングモードの複数のデコーダを並列に構成する必要は全くないとはいえない（例えば、演算の高速化など種々の理由が考えられるのは当業者に明らかである）から、この記載は、複数種類のオーディオデータのコーディングモードが異なるというための根拠にはなり得ないものである。
　また、請求人は、本願発明について、「異なるタイプのデジタルオーディオデータをデコーディングする場合であっても、コーディングモードが等しいことから、一つのデコーダを用いてデコーディングを行うことができるようになります。従って、装置全体の構成が簡潔になるとともに、データの処理効率が向上するといった効果が期待されます。」と主張しているが、デコーダが一つであることは請求項１には記載されていないし、仮に、本願発明のデコーダが一つであると仮定したとしても、一つのデコーダを使用して複数の信号を時分割でデコードすることは、例を挙げるまでもなく周知慣用の技術にすぎないから、刊行物１発明においても当業者が適宜採用し得ることであり、そのことをもって、本願発明が、刊行物１発明に基づいて、当業者が容易に発明をすることができたものではないとする理由とはならない。
　
　したがって、本願発明は、刊行物１発明に基づいて、当業者が容易に発明をすることができたものである。
　
６．むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。